(57)【要約】【課題】パチンコホールにおいて、遊戯者の喫煙より生じた吸殻をパチンコ台に付設された灰皿から収集し、かつそれらを回収ボックスに搬送・排出する。【解決手段】各パチンコ機２の灰皿開口部４から落下した吸殻５を断面Ｕ字形ケーシング状のレール６で受け、レール６内で２条のスクリュウ羽根１４を有するスクリュウ８の回転により送るパチンコ機などの吸殻排出装置１において、上記スクリュウ８を同一形状のスクリュウパーツ１３を複数連結して構成し、スクリュウパーツ１３のスクリュウ軸１５の外周面に、２条のスクリュウ羽根１４を１８０°の位相ずれのもとに螺旋状として形成するとともに、スクリュウ軸１５の一端に連結用の嵌まり合い凸部１６を、かつ他端に上記嵌まり合い凸部１６に嵌まる連結用の嵌まり合い凹部１７を形成した構造とする。【選択図】図１
0003120877.tif 000002
【実用新案登録請求の範囲】
【請求項１】
複数のパチンコ機（２）を横方向に連続して配置するパチンコホールにおいて、各パチンコ機（２）の灰皿（３）の灰皿開口部（４）から落下した吸殻（５）を受ける断面Ｕ字形ケーシング状のレール（６）と、レール（６）の内に長手方向に配設されてレール（６）に落下した吸殻（５）を吸殻回収タンク（７）まで搬送する２条のスクリュウ羽根（１４）を有するスクリュウ（８）と、スクリュウ（８）を駆動するモータ（９）とを有することを特徴とするパチンコ機などの吸殻排出装置（１）。
【請求項２】
複数のパチンコ機（２）を横方向に連続して配置するパチンコホールにおいて、各パチンコ機（２）の灰皿（３）の灰皿開口部（４）から落下した吸殻（５）を受ける断面Ｕ字形ケーシング状のレール（６）と、レール（６）の内に長手方向に配設されてレール（６）に落下した吸殻（５）を吸殻回収タンク（７）まで搬送する２条のスクリュウ羽根（１４）を有するスクリュウ（８）と、スクリュウ（８）を駆動するモータ（９）とを有し、
上記スクリュウ（８）を樹脂製の同一形状のスクリュウパーツ（１３）を複数連結して構成し、上記スクリュウパーツ（１３）のスクリュウ軸（１５）の外周面に、２条のスクリュウ羽根（１４）を１８０°の位相ずれのもとにスクリュウ軸（１５）の方向にそって半周の螺旋状として形成するとともに、スクリュウ軸（１５）の一端に連結用の嵌まり合い凸部（１６）を形成し、かつスクリュウ軸（１５）の他端に上記嵌まり合い凸部（１６）に嵌まる連結用の嵌まり合い凹部（１７）を形成したことを特徴とするパチンコ機などの吸殻排出装置（１）。
【考案の詳細な説明】
【技術分野】
【０００１】
本考案は、パチンコホールにおいて、遊戯者の喫煙により生じた吸殻をパチンコ機に付設された灰皿から収集し、かつそれらをスクリュウの回転により回収ボックスなどの所定の位置に搬送・排出する装置に関する。
【背景技術】
【０００２】
特許文献１や特許文献２は、いずれも遊戯者の喫煙より生じた吸殻をパチンコ機に付設された灰皿から収集し、かつそれらをスクリュウコンベアにより回収ボックスなどの所定の位置に搬送・排出する技術を開示している。
【０００３】
吸殻の悪臭や煙がパチンコホールに拡散するのを防ぐために、吸殻をスクリュウコンベアで搬送する場合、なるべく搬送スピードを速めることが望ましい。しかし、スクリュウ軸の回転速度をあげると、スクリュウコンベアのスクリュウ羽根とケーシング状のレールとの磨耗が激しく、スクリュウコンベアの寿命が縮まるという問題があるため、スクリュウ軸の回転速度をあげることに限界がある。スクリュウ軸の回転速度を一定としたとき、スクリュウの羽根のリード角を大きくとれば、送り速度が高くできるが、そうすると、羽根と羽根との間隔が大きくなる分、吸殻がスクリュウコンベア内に落下してからスクリュウの羽根に掛かるまでにタイムラグが生じ、スクリュウコンベア内に吸殻が長く留まることになり、悪臭や煙がスクリュウコンベア内やパチンコホール内にこもる原因となる。
【０００４】
また、一般に、スクリュウコンベアは、特許文献１や特許文献２に見られるように、円形状の鋼板を螺旋状に曲げて作った１条の羽根を、軸例えば鋼管に溶接して製作するが、スクリュウコンベアを取り付けるパチンコ機の列の幅は、パチンコホールによってまちまちであり、パチンコホールごとに全長の異なる専用のスクリュウコンベアを製作しなければならず、設計、製作が煩雑なことから、高いコストがかかっている。しかも、搬送トラブルによりスクリュウコンベアの羽根が破損した場合や、スクリュウコンベアの羽根が磨耗により補修の必要になった場合に、従来は、スクリュウコンベア全体を交換しなければならず、設備維持に大きなコストがかかっている。
【０００５】
もともと、パチンコ機などの吸殻排出装置の搬送対象物である吸殻は、重量のあるものではなく、金属製のスクリュウコンベアを用いずに、代わりに軽量な樹脂製スクリュウコンベアを用いたとしても、搬送上の問題はない。
【特許文献１】実登３０６７８２７号公報
【特許文献２】特開平１０−３３８２６号公報
【考案の開示】
【考案が解決しようとする課題】
【０００６】
そこで、本考案の課題は、搬送スピードが速く、安価に製作でき、軽量で安定した動作が可能であり、かつ設備維持が容易なパチンコ機などの吸殻排出装置を提供することである。
【課題を解決するための手段】
【０００７】
上記の課題のもとに、本考案は、複数のパチンコ機を横方向に連続して配置するパチンコホールにおいて、各パチンコ機の灰皿の灰皿開口部から落下した吸殻を受けながら案内する断面Ｕ字形ケーシング状のレールと、レールの内に長手方向に配設されてレールに落下した吸殻を吸殻回収タンクまで搬送する２条のスクリュウ羽根を有するスクリュウと、スクリュウを駆動するモータとで、パチンコ機などの吸殻排出装置を構成している。
【０００８】
特に、上記スクリュウは、樹脂製の同一形状のスクリュウパーツを複数連結したものとして構成し、上記スクリュウパーツのスクリュウ軸の外周面に、２条のスクリュウ羽根を１８０°の位相ずれのもとにスクリュウ軸の方向にそって半周の螺旋状として形成するとともに、スクリュウ軸の一端に連結用の嵌まり合い凸部を形成し、かつスクリュウ軸の他端に上記嵌まり合い凸部に嵌まる連結用の嵌まり合い凹部を形成している。したがって、スクリュウは、同一形状で一定の長さの複数のスクリュウパーツを連結用の嵌まり合い凸部と嵌まり合い凹部との嵌まり合いにより、所定の長さのに組み立てられる。
【考案の効果】
【０００９】
本考案によると、スクリュウを２条のスクリュウ羽根を有するものとしたから、同一ピッチの１条の羽根を有するスクリュウと比較すると、リードが２倍となるので、スクリュウ軸の回転速度を速めることなく、２倍の搬送スピードを得ることができ、吸殻がケーシング状のレール内に長く留まることがなくなり、これにより悪臭や煙がケーシング状のレール内にこもることや、パチンコホール内に拡散することが防止することができる。
【００１０】
スクリュウを樹脂製の同一形状のスクリュウパーツを複数連結したものとして構成するから、連結するスクリュウパーツの数を増減することにより、パチンコ機の列の幅に応じた適切な長さのスクリュウを容易に製作することができる。従来技術によると、パチンコ機の異なる列ごとに全長の異なる専用のスクリュウコンベアを個々に製作していたが、本考案によると、その必要がなくなる。また、スクリュウを樹脂製としたから、スクリュウ全体の重量を軽減でき、より小さなモータを使用することにより、装置の小型化を図ることができる。
【００１１】
また、搬送トラブルにより一部のスクリュウ羽根が破損した場合や、スクリュウ羽根が部分的な磨耗により補修の必要になった場合、破損・磨耗したスクリュウパーツのみを交換すればよく、スクリュウ全体を再製作・交換する必要がない。
【００１２】
さらに、２条のスクリュウ羽根がスクリュウ軸の方向に連続しており、それらのスクリュウ羽根がケーシング状のレール内で１条のスクリュウ羽根のスクリュウよりも多く接触するから、スクリュウはケーシング状のレールに安定して支持され、スムーズな回転運動を実現できる。
【００１３】
また、スクリュウを２つのスクリュウ羽根を有する形状とし、軸線に対して半周の対称の形状とし、１つのスクリュウパーツについて、２つのスクリュウ羽根がスクリュウ軸の全周を取り囲むようにしたから、射出成型する際の材料の偏りを防止でき、スクリュウの重心位置を軸線上にもってくることが容易となり、その結果、スクリュウの回転運動を安定化させることができる。
【考案を実施するための最良の形態】
【００１４】
図１は、本考案に係るパチンコ機などの吸殻排出装置１の組み込み状態の概略を示している。パチンコ機などの吸殻排出装置１は、複数のパチンコ機２を横方向に連続して配置するパチンコホールにおいて用いられ、主要な部分として、各パチンコ機２の灰皿３の灰皿開口部４から落下した吸殻５を受ける断面Ｕ字形ケーシング状のレール６と、レール６の長手方向に配設されてレール６に落下した吸殻５を吸殻回収タンク７まで搬送するために２条のスクリュウ羽根１４を有するスクリュウ８と、スクリュウ８を駆動するモータ９とを有している。
【００１５】
レール６は、上面開口の断面Ｕ字形であって、連接状態のパチンコ機２の灰皿３の灰皿開口部４の下で、連接状態のパチンコ機２の並び方向の幅にわたって設けられている。モータ９の回転は、ユニバーサルジョイント１９を介してスクリュウシャフト１８の一端に伝達され、スクリュウシャフト１８と一体のスクリュウ８を送り方向に回転させる。なお、スクリュウ８は、中空のスクリュウ軸１５でスクリュウシャフト１８に嵌まり、一体化している。スクリュウシャフト１８の一端は、モータ９に連結されるが、スクリュウシャフト１８の他端は、支持されず、フリーの状態とされる。このため、２条のスクリュウ羽根１４は、スクリュウ８の自重で常にレール６の内周面に接し、そこで支えられることになる。
【００１６】
なお、灰皿３は、パチンコ機２から遊戯者側に張り出してる膳板１０に、各パチンコ機２に１個づつ取り付けられている。灰皿開口部４は、灰皿３の底に設けられており、膳板１０を貫通する落下孔１１につながっており、吸殻５を膳板１０の下のレール６に落下させるようになっている。
【００１７】
図２は、灰皿３の灰皿開口部４、膳板１０の落下孔１１、断面Ｕ字形ケーシング状のレール６およびスクリュウ８の拡大断面を示している。灰皿３の内部の吸殻５は、灰皿開口部４、落下孔１１からレール６内に落下するが、その吸殻５を受けるレール６は、前記のとおり、断面Ｕ字形であって、上端のフランジ部分で膳板１０の裏面にタッピンねじなどにより取り付けられている。スクリュウ８は、２条のスクリュウ羽根１４を有しており、レール６内に収められ、連接状態のパチンコ機２の並び方向に延在している。
【００１８】
レール６の下側の半円状内周面は、スクリュウ羽根１４の先端で形成される筒状面と等しい曲率として形成されているため、下側部分のスクリュウ羽根１４は、レール６の下側の半円状の内周面に自重で接触している。このようにして、レール６は、スクリュウ８を回転自在に支持している。なお、レール６の送り方向の終端には、図１に示す通り、吸殻５の排出口１２が設けられており、この排出口１２から排出した吸殻５は、吸殻回収タンク７へ投入される。
【００１９】
図３は、スクリュウ８の側面を示し、図４および図５は、スクリュウ８を構成するスクリュウパーツ１３を示している。スクリュウ８は、樹脂製の同一形状のスクリュウパーツ１３を複数連結し、必要な長さのものとして構成されている。スクリュウパーツ１３は、中空のスクリュウ軸１５の外周面に、２条のスクリュウ羽根１４を１８０°の位相ずれのもとにスクリュウ軸１５の軸線方向にそって半周の螺旋状として形成されている。また、中空のスクリュウ軸１５の一端に連結用の嵌まり合い凸部１６が形成され、かつスクリュウ軸１５の他端に上記嵌まり合い凸部１６に嵌まる連結用の嵌まり合い凹部１７が形成されている。
【００２０】
２条のスクリュウ羽根１４は、スクリュウ軸１５の全周を取り囲むことになる。これは、スクリュウパーツ１３のプラスチック成形時に、スクリュウ軸１５の周りでの材料の偏りを無くし、成形品（スクリュウパーツ１３）の成形品質を高めるのに有効である。なお、スクリュウパーツ１３は、難燃性樹脂、例えばＡＢＳ樹脂の射出成形により製作する。スクリュウパーツ１３をある程度の数量を予備として製作しておけば、スクリュウパーツ１３が破損したときに、該当破損部分を迅速に交換補修できるので、有利である。
【００２１】
スクリュウパーツ１３のスクリュウ軸１５は、前記のように中空であり、この中空部分に駆動用のスクリュウシャフト１８を挿入することにより、スクリュウ軸１５とスクリュウシャフト１８とが一体に固定できるようになっている。スクリュウシャフト１８の軸長はパチンコ機２の列の幅に応じて定められ、その軸長に応じた数のスクリュウパーツ１３をスクリュウシャフト１８に通し、連結・固定してスクリュウ８を製作する。
【００２２】
スクリュウ８の製作時に、隣り合うスクリュウパーツ１３は、スクリュウ軸１５の端部の連結用の嵌まり合い凸部１６と嵌まり合い凹部１７との嵌まり合い（圧入）により摩擦的に連結される。このようにして、必要な数のスクリュウパーツ１３とスクリュウシャフト１８とは一体となり、所定の長さの１つのスクリュウ８となる。
【００２３】
スクリュウ８は、レール６内に収められるが、スクリュウ８（複数のスクリュウパーツ１３）は、２条のスクリュウ羽根１４の羽根先の部分でレール６の円周底面に接し、支えられ、レール６の円周底面に落下した吸殻５をすくいながら搬送できる状態となる。その後スクリュウシャフト１８の一端は、ユニバーサルジョイント１９を介してモータ９の出力軸に連結される。しかし、スクリュウシャフト１８の他端は、支持されず、フリーの状態とされる。
【００２４】
スクリュウ８をモータ９により吸殻送り方向に回転駆動すると、各パチンコ機２の灰皿３の灰皿開口部４からレール６の内部に落下した吸殻５は、スクリュウ８の２条のスクリュウ羽根１４にすくわれ、送り方向に順次に螺旋送りされ、最終的に吸殻回収タンク７に排出される。吸殻回収タンク７は、定期的に例えば閉店時に、パチンコ機などの吸殻排出装置１から取り外して清掃する。
【００２５】
なお、本実施例では、スクリュウパーツ１３とスクリュウシャフト１８とを一体とし、スクリュウシャフト１８を駆動してスクリュウ８を回転させているが、スクリュウシャフト１８に対して複数のスクリュウパーツ１３を回転自在に取り付けて、１つのスクリュウパーツ１３をモータ９、ベルトやギヤなどで回転駆動させるてもよい。
【００２６】
また、スクリュウシャフト１８を用いないで、スクリュウパーツ１３どうしの嵌まり合い（嵌まり合い凸部１６と嵌まり合い凹部１７との嵌まり合い）、または嵌まり合い凸部１６と嵌まり合い凹部１７との嵌まり合いとスクリュウ羽根１４の羽根端面２０の当た合いよって回転力の伝達を行うこともできる。このようにすれば、スクリュウコンベア８の組み立て・分解を簡単化でき、またスクリュウパーツ１３の交換補修も容易となる。このような場合、スクリュウシャフト１８は不要であり、また、スクリュウ軸１５は中空でなくてもよいことになる。
【産業上の利用可能性】
【００２７】
本考案に係るパチンコ機などの吸殻排出装置１は、パチンコホールにおいてパチンコ機２のほか、遊戯者と向き合う形式のパチンコ機類似の遊戯機にも適用できる。
【図面の簡単な説明】
【００２８】
【図１】本考案に係るパチンコ機などの吸殻排出装置１の概略的な一部破断正面図である。
【図２】本考案に係るパチンコ機などの吸殻排出装置１において吸殻５の落下搬送部分の拡大断面図である。
【図３】本考案に係るパチンコ機などの吸殻排出装置１において連結状態のスクリュウパーツ１３によるスクリュウ８の正面図である。
【図４】本考案に係るパチンコ機などの吸殻排出装置１のスクリュウパーツ１３の軸方向の断面図である。
【図５】本考案に係るパチンコ機などの吸殻排出装置１のスクリュウパーツ１３の斜視図である。
【符号の説明】
【００２９】
１  パチンコ機などの吸殻排出装置
２  パチンコ機
３  灰皿
４  灰皿開口部
５  吸殻
６  レール
７  吸殻回収タンク
８  スクリュウ
９  モータ
１０  膳板
１１  落下孔
１２  排出口
１３  スクリュウパーツ
１４  スクリュウ羽根
１５  スクリュウ軸
１６  嵌まり合い凸部
１７  嵌まり合い凹部
１８  スクリュウシャフト
１９  ユニバーサルジョイント
２０  羽根端面
【図１】
0003120877.tif 000003
【図２】
0003120877.tif 000004
【図３】
0003120877.tif 000005
【図４】
0003120877.tif 000006
【図５】
0003120877.tif 000007
【手続補正書】
【提出日】平成18年2月21日(2006.2.21)
【手続補正１】
【補正対象書類名】図面
【補正対象項目名】図１
【補正方法】変更
【補正の内容】
【図１】
0003120877.tif 000008